(57)【要約】      （修正有）【課題】バッテリーターミナルの小型化を実現できるバッテリーターミナルを提供する。【解決手段】バッテリーターミナル１０，１０Ａは、バッテリーポストに外嵌される円弧状の嵌合部２０と、この嵌合部２０の開口両端縁から外方へ延出して相互に対向する一対の締付部４０とを備える。両締付部４０に形成された挿通孔４１にボルト９０の軸部が通されてナット９５とねじ締めされることにより、両締付部４０が互いに接近して嵌合部２０が縮径変形させられ、もってバッテリーポストに保持される。ボルト９０の頭部９２は、締め付けによりナット９５が回転しても嵌合部２０の外周面に当接することで回り止めされる。ボルト９０の頭部９２が嵌合部２０の外周面に当接するまで、両締付部４０を嵌合部２０側へ接近させることができ、両締付部４０と嵌合部２０との間の距離を縮めることができる。【選択図】図１
2007207489.tif 000002
【特許請求の範囲】
【請求項１】
バッテリーポストに外嵌される円弧状の嵌合部と、この嵌合部の開口両端縁から外方へ延出して相互に対向する一対の締付部とを備え、両締付部に形成された挿通孔にボルトの軸部が通されてナットとねじ締めされることにより前記両締付部が互いに接近して前記嵌合部が縮径変形させられ前記バッテリーポストに保持されるバッテリーターミナルであって、
前記ボルトの頭部と前記ナットのいずれか一方は、締め付けにより他方が回転しても前記嵌合部の外周面に当接することで回り止めされることを特徴とするバッテリーターミナル。
【請求項２】
前記両締付部は前記嵌合部の軸方向と平行な縦方向に対し斜め方向で相対向して配され、前記ボルトの軸部の軸線方向が前記斜め方向を向いているものであり、前記両締付部のうち、一方の締付部の端部には、他方の締付部の端部に当接可能に延出され、締め付けに伴って前記他方の締付部に作用する縦方向の分力を押さえ付け可能な押さえ部が形成されていることを特徴とする請求項１に記載のバッテリーターミナル。
【発明の詳細な説明】
【技術分野】
【０００１】
本発明は、バッテリーターミナルに関する。
【背景技術】
【０００２】
従来より、バッテリーターミナルは、バッテリーポストに外嵌されるＣ字状の嵌合部と、この嵌合部の開口両端縁から外方へ延出して相互に対向する一対の締付部とを備え、両締付部に貫通形成された挿通孔にボルトの軸部が通されてナットとねじ締めされることにより両締付部が互いに接近して嵌合部が縮径変形させられバッテリーポストに保持されるようになっている（例えば、特許文献１を参照）。そして、嵌合部と締付部との間には上下両縁に切り欠きを有する括れ部が設けられ、締付部の端部にはフランジが折り曲げ形成されている。ボルトの頭部は、ナットがねじ回されてもフランジに当接することで回り止めされた状態で固定される。また、両締付部は、嵌合部の軸方向と平行な縦方向に対して斜め方向で相対向して配されており、両締付部を締め付けるボルトの軸線が斜め上方を向いている。
【特許文献１】特開２００４−１８５９７９公報
【発明の開示】
【発明が解決しようとする課題】
【０００３】
ところで、上記の場合は、括れ部が介在する分だけ、嵌合部と締付部との間の距離が広がって横方向（長さ方向）の寸法が大きくなり、ひいてはターミナルの大型化を招来するという事情がある。  
本発明は上記のような事情に基づいて完成されたものであって、バッテリーターミナルの小型化を実現することを目的とする。
【課題を解決するための手段】
【０００４】
上記の目的を達成するための手段として、請求項１の発明は、バッテリーポストに外嵌される円弧状の嵌合部と、この嵌合部の開口両端縁から外方へ延出して相互に対向する一対の締付部とを備え、両締付部に形成された挿通孔にボルトの軸部が通されてナットとねじ締めされることにより前記両締付部が互いに接近して前記嵌合部が縮径変形させられ前記バッテリーポストに保持されるバッテリーターミナルであって、前記ボルトの頭部と前記ナットのいずれか一方は、締め付けにより他方が回転しても前記嵌合部の外周面に当接することで回り止めされる構成としたところに特徴を有する。
【０００５】
請求項２の発明は、請求項１に記載のものにおいて、前記両締付部は前記嵌合部の軸方向と平行な縦方向に対し斜め方向で相対向して配され、前記ボルトの軸部の軸線方向が前記斜め方向を向いているものであり、前記両締付部のうち、一方の締付部の端部には、他方の締付部の端部に当接可能に延出され、締め付けに伴って前記他方の締付部に作用する縦方向の分力を押さえ付け可能な押さえ部が形成されているところに特徴を有する。
【発明の効果】
【０００６】
＜請求項１の発明＞
ボルトの頭部とナットのいずれか一方が嵌合部の外周面に当接するまで、両締付部を嵌合部側へ接近させるから、締付部と嵌合部との間の距離を従来よりも縮めることができ、バッテリーターミナルの小型化を実現することができる。そして、ボルトの頭部とナットのいずれか一方は他方が回転しても嵌合部の外周面に当接することで回り止めされるから、嵌合部の外周面を回り止めとして機能させることができ、回り止め構造の簡略化を図ることができる。
【０００７】
＜請求項２の発明＞
両締付部が嵌合部の軸方向と平行な縦方向に対し斜め方向で相対向して配され、ボルトの軸部の軸線方向が斜め方向を向いているという事情がある場合に、ボルトとナットで両締付部を締め付けると、両締付部のうち、一方の締付部には縦方向上側の分力が作用し、他方の締付部には縦方向下側の分力が作用することになる。そうすると、一方の締付部は上方へ変位しようとし、他方の締付部は下方へ変位しようとして、両締付部の相対位置が位置ずれする可能性がある。そして、両締付部の位置ずれに伴うねじれ力が嵌合部側にも伝播して、嵌合部がバッテリーポストから抜け出る方向へ変形するおそれがある。  
その点、請求項２の発明によれば、両締付部のうち、一方の締付部の端部には、他方の締付部の端部に当接可能に延出され、締め付けに伴って他方の締付部に作用する縦方向の分力を押さえ付け可能な押さえ部が形成されているから、締め付け時に両締付部が位置ずれするのを防止でき、ひいては、嵌合部がバッテリーポストから抜け出る方向へ変形するのを防止できる。
【発明を実施するための最良の形態】
【０００８】
＜実施形態１＞
本発明の実施形態１を図１ないし図５によって説明する。本実施形態のバッテリーターミナル１０は、導電性金属板によって一体に形成され、嵌合部２０と、締付部４０と、電線接続部６０とを備えている。かかるバッテリーターミナル１０は、バッテリーポスト８０に嵌合部２０が外嵌された状態で、ボルト９０とナット９５とをねじ締めすることによって締付部４０が締め付けられ、もってバッテリーポスト８０に取り付けられる。
【０００９】
嵌合部２０は、バッテリーポスト８０に嵌合可能な略Ｃの字状に形成されており、径方向に撓み変形可能で、自然状態では内径がバッテリーポスト８０の外径より少し大きく、締付部４０が締め付けられるに伴い縮径してバッテリーポスト８０に密着し固定されるようになっている。この嵌合部２０の内周面には、高さ方向に延びる凹部２１が複数条設けられ、これら凹部２１は、嵌合部２０がバッテリーポスト８０に固定されたときに、バッテリーポスト８０の表面と食い込みあうことにより、嵌合部２０とバッテリーポスト８０の回り止めの役割を果たしている。
【００１０】
電線接続部６０は、嵌合部２０の開口側とは長さ方向（嵌合部２０の径方向であって図３における左右方向）の反対側（締付部４０と反対側）に位置する嵌合部２０の下端に連成されている。電線接続部６０は、嵌合部２０の下端に対しその略半周に亘って接続されて径方向外方へ突出する基板６６と、基板６６の長さ方向の延出端からさらに径方向外方へ延出するとともに上方へ立ち上げられて相対向する一対の圧着片６１とを備えている。両圧着片６１は、図示しない電線の端末にかしめ付けられ、その内周面に、電線の端末を強固に保持するべく周方向に沿って延びる凹所６２が複数条設けられている。両圧着片６１の先端外周面にはテーパ状の面取り部６３が設けられており、電線に巻き付けられたときに両圧着片６１の重合部分で大きな段差が生じないようにしてある。また、電線接続部６０の基板６６には、嵌合部２０との接続領域側に、貫通孔６４が設けられている。この貫通孔６４により、両圧着片６１の変形動作が容易となっている。
【００１１】
嵌合部２０の開口両端縁からは、方形の平板状をなす一対の締付部４０が互いに平行に対向しかつ外方へ向けて延出して形成されている。両締付部４０には、挿通孔４１が同軸上に貫通して形成され、ここにボルト９０の軸部９１を挿通可能としている。両締付部４０の一方側からボルト９０の軸部９１を挿通孔４１に通し、他方側の挿通孔４１から突き出るボルト９０の軸部９１にナット９５をねじ込むことにより、両締付部４０が互いに接近する方向に変位して嵌合部２０が縮径変形させられる。なお、ナット９５と締付部４０との間には方形状のワッシャ９４が介装されている。
【００１２】
図４における左側の締付部４０（以下、図４における左方を左側、右方を右側とする）の長さ方向の先端部には、ストッパ４２が設けられている。ストッパ４２は、左側の締付部４０の端縁から右側の締付部４０に向けて略直角に折り曲げられた形態をなし、自然状態ではストッパ４２の端縁が右側の締付部４０の内面から所定距離はなれた状態で対向している。両締付部４０を過度に締め付けた場合、このストッパ４２の端縁と右側の締付部４０の内面とが当接し合うことで、それ以上の両締付部４０の締め突けが規制される。そして、右側の締付部４０の長さ方向の先端部には、押さえ片４３が設けられている。押さえ片４３は、ストッパ４２と同一形状であって同ストッパ４２と並んで平行に配置され、その内面がワッシャ９４の一辺と全縁に亘って当たり合うことで、ワッシャ９４を位置決めして回り止めする役割を果たしている。
【００１３】
両締付部４０は、互いに平行な状態で、嵌合部２０の軸方向と平行な縦方向に対し所定角度傾斜させた状態で相対向して配されている。本実施形態においては、嵌合部２０側を向いた状態で両締付部４０を前記縦方向に対して左側にねじった場合のものであり、ボルト９０の軸部９１に対するナット９５のねじ込みは右側斜め上方から行われるようになっている。
【００１４】
嵌合部２０の開口左端縁には、嵌合部２０の上端における電線接続部６０側へ寄った位置に、切り込み２２が縦方向に形成されている。この切り込み２２をきっかけとして左側の締付部４０がねじられる。そしてこの切り込み２２により、左側の締付部４０の付け根は、下端から上端に行くにしたがって電線接続部６０側へ近づくようになっている。これとは逆に、嵌合部２０の開口右端縁には、嵌合部２０の下端における電線接続部６０側へ寄った位置に、切り込み２２が縦方向に形成されており、これにより、右側の締付部４０の付け根は、上端から下端に行くにしたがって電線接続部６０側へ近づくようになっている。このように両締付部４０の付け根が上下両方向で電線接続部６０側へ寄った位置に切り込み２２を介して接続されることで、嵌合部２０に締付部４０が直接連成されているという事情があっても、締付部４０をねじり成形することが可能となっている。
【００１５】
ボルト９０は、四角ボルトであって、その頭部９２は方形のブロック状をなしている。そして、ボルト９０の頭部９２の一側縁は、ナット９５の回転方向で嵌合部２０の外周面と当たり合っており、ナット９５の回転に伴って連れ回りしないような構成とされる。また、左側の締付部４０における長さ方向に沿った一側縁からはフランジ４５が略直角に折り曲げ形成されており、このフランジ４５の端縁に対して、ボルト９０の頭部９２がナット９５の回転方向で当接可能となっている。ボルト９０の頭部９２の四側縁のうち、互いに隣接する二側縁が当接することで、ボルト９０の頭部９２は左側の締付部４０に対し位置決め状態で回り止めされる。
【００１６】
ここで、左側の締付部４０は、ボルト９０の頭部９２の座面に対応した表面積を保有し全体として比較的小さく形成されている。そしてこの左側の締付部４０に当着されるボルト９０の頭部９２は、長さ方向に関して嵌合部２０と部分的に重なり合っており、その一角が嵌合部２０の長さ方向先端位置より電線接続部６０側へ寄った位置に設定されている。
【００１７】
次に、本実施形態の作用効果を説明する。まず、両締付部４０の挿通孔４１にボルト９０の軸部９１を挿通させて、左側の締付部４０にボルト９０の頭部９２を当着させる。続いて、ボルト９０の軸部９１の先端側に上方からナット９５を緩く締め付け、その状態で、バッテリーポスト８０に嵌合部２０を遊挿状態で嵌合させる。その後、ボルト９０の軸部９１に対しナット９５を強く締め付ける。すると、ボルト９０の頭部９２と嵌合部２０の外周面及びフランジ４５が線接触状態で当たり合い、ボルト９０及びワッシャ９４の回り止めがなされる。このとき、両締付部４０が縦方向（嵌合部２０の軸方向と平行な方向）に対し左右に傾斜しているから、ボルト９０へのナット９５の締め付け作業を斜め上方から行うことができ、水平方向から締め付けるタイプのものに比べて作業し易くなる。
【００１８】
また、上記したねじ締め作業が開始されると、右側の締付部４０はナット９５に押圧されてボルト９０の軸部９１の軸線方向に沿って斜め下方へ変位する一方、左側の締付部４０はボルト９０の頭部９２に押圧されて同軸線方向に沿って斜め上方へ変位することとなり、両締付部４０が互いに平行状態を保ちつつ接近する。そして、両締付部４０の接近動作に伴って嵌合部２０が徐々に縮径変形し、これにより、嵌合部２０がバッテリーポスト８０に対し周方向から密着して強固に保持される。
【００１９】
以上説明したように、本実施形態によれば、ボルト９０の頭部９２が嵌合部２０の外周面に当接するに至るまで、両締付部４０を嵌合部２０側へ接近させた構成としたから、締付部４０と嵌合部２０との間の距離を従来よりも大幅に縮めることができ、バッテリーターミナル１０の小型化を実現することができる。そして、ボルト９０の頭部９２はナット９５が回転しても嵌合部２０の外周面に当接することで回り止めされるから、嵌合部２０の外周面をボルト９０の回り止めとして機能させることができ、回り止め構造の簡略化を図ることができる。
【００２０】
＜実施形態２＞
次に、本発明の実施形態２を図６ないし図８によって説明する。実施形態２のバッテリーターミナル１０Ａは、締付部４０に押さえ部４７が設けられている点で実施形態１と異なる。その他は、実施形態１と概ね同様であり、実施形態１と同一の部分または同様の部分については同一符合を付して重複する説明は省略する。
【００２１】
実施形態２では、両締付部４０のうち、図７における右側の締付部４０（以下、図７における右方を右側、左方を左側とする）に、左側の締付部４０の上側縁に当接可能に延出された押さえ部４７が設けられている。押さえ部４７は、右側の締付部４０の上側縁に連なって方形板状をなし、この右側の締付部４０の上端縁から左側の締付部４０の上側縁側へ略直角に折り曲げ形成されている。そして、押さえ部４７の折り曲げ端には、同押さえ部４７の幅方向略中央に、ノッチ４８が入れられている。このノッチ４８により、押さえ部４７の折り曲げ動作が容易となっている。
【００２２】
ところで、ボルト９０とナット９５により両締付部４０を締め付けると、右側の締付部４０はナット９５により押されてボルト９０の軸部９１の軸線方向に沿って斜め下方へ変位し、左側の締付部４０はボルト９０の頭部９２により押されて同軸線方向に沿って斜め上方へ変位する。この場合に、両締付部４０が斜め方向へ変位することに起因して、右側の締付部４０には垂直下方を向いた分力が作用し、左側の締付部４０には垂直上方を向いた分力が作用する。したがって、両締付部４０の挿通孔４１にボルト９０の軸部９１が遊挿されたりすると、両締付部４０の付け根にねじれ力が作用し、左側の締付部４０の変位動作に伴って嵌合部２０がバッテリーポスト８０から離れる方向となる上方へ変形するおそれがある。そうすると、バッテリーポスト８０に対するバッテリーターミナル１０Ａの保持力が低下するという事情がある。
【００２３】
しかし実施形態２によれば、右側の締付部４０の上側縁に設けられた押さえ部４７が左側の締付部４０の上側縁に当接することにより、左側の締付部４０に作用する垂直上方を向いた分力を押え付けることが可能となるから、締め付け時に両締付部４０が位置ずれするのを防止でき、ひいては、嵌合部２０が変形するのを防止できる。その結果、バッテリーポスト８０に対するバッテリーターミナル１０Ａの保持力を一定に維持することができる。
【００２４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）本発明によれば、上記実施形態とは逆に、ナットが固定され、ボルトが回転する構成であってもよい。そうすると、ナットは、締め付けによりボルトが回転しても嵌合部の外周面に当接することで回り止めされた状態で固定される。
【００２５】
（２）本発明によれば、ボルトは六角ボルト等の四角ボルト以外の多角ボルトであっても構わない。  
（３）本発明によれば、上記実施形態とは逆に、嵌合部側を向いた状態で両締付部を縦方向（嵌合部の軸方向と平行な方向）に対して右側にねじった構成としても構わない。  
（４）実施形態２では、押さえ部は右側の締付部の上側縁に設けられ同上側縁から左側の締付部の上側縁に当接可能に延出して形成されたが、本発明によれば、押さえ部は左側の締付部の下側縁に設けられ同下側縁から右側の締付部の下側縁に当接可能に延出して形成されてもよい。
【図面の簡単な説明】
【００２６】
【図１】実施形態１のバッテリーターミナルを斜め下方から見たときの斜視図
【図２】バッテリーターミナルを斜め上方から見たとき斜視図
【図３】バッテリーターミナルの正面図
【図４】バッテリーターミナルの側面図
【図５】バッテリーターミナルの底面図
【図６】実施形態２においてボルトとナットをねじ締めする前のバッテリーターミナルの平面図
【図７】ボルトとナットをねじ締めする前のバッテリーターミナルの側面図
【図８】バッテリーターミナルの側面図
【符号の説明】
【００２７】
１０，１０Ａ…バッテリーターミナル
２０…嵌合部
２２…切り込み
４０…締付部
４２…ストッパ
４５…フランジ
６０…電線接続部
９０…ボルト
９２…ボルトの頭部
９５…ナット
【図１】
2007207489.tif 000003
【図２】
2007207489.tif 000004
【図３】
2007207489.tif 000005
【図４】
2007207489.tif 000006
【図５】
2007207489.tif 000007
【図６】
2007207489.tif 000008
【図７】
2007207489.tif 000009
【図８】
2007207489.tif 000010